(57)【要約】【課題】欠陥部分に施された識別用のラベルを検出して、欠陥部分に施された識別用のラベルを検出して、欠陥部分を含む製品を排除する製品の加工ラインにおいて、ラベル片が製品へ混入するのを防止でき、原反を所定巾に裁断する際には製品の収率の低下を抑制できる。【解決手段】  帯状のウエブ１２の欠陥部分を識別するラベル４８を、ウエブ巾方向のエッジに貼り付けた後、一旦コイル状に巻き取ったウエブロール１３からウエブ１２を送り出しながらウエブ１２を裁断装置５２で所定巾に裁断する裁断工程と、切断刃２０で所定長さに切断する切断工程と、を備えたウエブ１２の加工方法において、裁断工程では、裁断巾の最適化を行い、切断工程では、ウエブ１２をラベル４８を回避した位置で切断するラベル切断回避ステップを行う。【選択図】  図１
2008055521.tif 000002
【特許請求の範囲】
【請求項１】
帯状のウエブの欠陥部分を識別するラベルを、前記ウエブ巾方向のエッジに貼り付けた後、一旦コイル状に巻き取ったウエブロールから前記ウエブを送り出しながら前記ウエブを切断刃で所定長さに切断する切断工程を備えたウエブの加工方法において、
前記切断工程では、前記ウエブを前記ラベルを回避した位置で切断するラベル切断回避ステップを行うことを特徴とするウエブの加工方法。
【請求項２】
前記ラベル切断回避ステップは、
前記ウエブを送り出す送り長を測定する測定ステップと、
前記ウエブに貼られたラベルを検出するラベル検出ステップと、
前記ウエブを所定長さに切断するように予め設定する予定カット長入力ステップと、
前記測定ステップ及び前記ラベル検出ステップからの検出信号に基づいて、前記切断刃から前記ラベル位置までの距離を取得するラベル位置取得ステップと、
前記測定ステップからの検出信号及び前記予定カット長入力ステップからの入力信号に基づいて、前記切断刃から予定切断位置までの距離を取得する予定切断位置取得ステップと、
前記ラベル位置取得ステップで取得したラベル位置と前記予定切断位置取得ステップで取得した予定切断位置を照合する照合ステップと、
前記照合ステップで照合された結果に基づいて、前記ラベル位置が前記予定切断位置を基準として設定範囲内にあるかどうかを判断する判断ステップと、
前記設定範囲内にある場合には、前記予定切断位置をシフトするシフトステップと、
を備えたことを特徴とする請求項１のウエブの加工方法。
【請求項３】
前記ラベル切断回避ステップでは、
前記測定ステップ及び前記ラベル検出ステップの検出信号と、前記予定カット長入力ステップからの入力信号に基づいて、前記検出したラベルが貼られた位置の仮想のシート番号を割り当てると共に、前記ウエブを切断後、前記仮想のシート番号に基づいて、前記ラベルが貼られたシートのみを回収する回収ステップを行うことを特徴とする請求項２のウエブの加工方法。
【請求項４】
前記ラベルが、その外周の縁部に糊が形成されていない非糊形成部を有すると共に、前記ウエブを所定のウエブ巾にスリットする裁断工程を備え、
前記裁断工程では、前記ラベルに形成された糊形成部のうちウエブ巾方向端部から一定以上の糊形成巾を確保した位置で前記ウエブを裁断することを特徴とする請求項２又は３のウエブの加工方法。
【請求項５】
前記ラベルに形成された糊形成部のうちウエブ巾方向端部から２ｍｍ以上の糊形成巾を確保した位置で前記ウエブを裁断することを特徴とする請求項４のウエブの加工方法。
【請求項６】
前記ウエブが平版印刷版であると共に、請求項１〜５の何れか１のウエブの加工方法を適用したことを特徴とする平版印刷版の加工方法。
【請求項７】
帯状のウエブの欠陥部分を識別するラベルを、前記ウエブ巾方向のエッジに貼り付けた後、一旦コイル状に巻き取ったウエブロールから前記ウエブを送り出しながら前記ウエブを切断刃で所定長さに切断する切断装置を備えたウエブの加工装置において、
前記ウエブを送り出す送り長を測定する測定手段と、
前記ウエブに貼られたラベルを検出するラベル検出手段と、
前記ウエブを所定長さに切断するように予め設定する予定カット長入力手段と、
前記測定手段及び前記ラベル検出手段からの検出信号に基づいて、前記切断刃から前記ラベル位置までの距離を取得すると共に、前記測定手段からの検出信号及び前記予定カット長入力手段からの入力信号に基づいて、前記切断刃から予定切断位置までの距離を取得し、前記切断刃からラベル位置までの距離と前記切断刃から予定切断位置までの距離を照合して、前記ラベル位置が前記予定切断位置を基準として前記設定範囲内にある場合には、前記予定切断位置をシフトするプログラムを備えたトラッキング手段と、
を備えたことを特徴とするウエブの加工装置。
【請求項８】
前記トラッキング手段は、
前記測定手段及び前記ラベル検出手段からの検出信号と、前記予定カット長入力手段からの入力信号に基づいて、前記検出したラベルが貼られた位置の仮想のシート番号を割り当てると共に、前記ウエブを切断後、前記仮想のシート番号に基づいて、前記ラベルが貼られたシートを不良品回収部に回収する回収ゲートを制御することを特徴とする請求項７のウエブの加工装置。
【請求項９】
前記切断刃の前段に、前記ウエブを所定のスリット巾に裁断する裁断装置を備えたことを特徴とする請求項７又は８のウエブの加工装置。
【請求項１０】
前記ウエブが平版印刷版であると共に、請求項７〜９の何れか１のウエブの加工装置を適用したことを特徴とする平版印刷版の加工装置。
【発明の詳細な説明】
【技術分野】
【０００１】
本発明は、ウエブの加工方法及び装置に係り、特に、平版印刷版などの平版材料の欠陥部に識別用のラベルを施したウエブロールにおいて、識別用のラベルを検出してから該識別用のラベルを回避してウエブを切断するときのトラッキング機能を備えたウエブの加工方法及び装置に関する。
【背景技術】
【０００２】
平版材料としての感光性平版印刷版（以下、平版印刷版という）は、アルミニウム製のウエブに、例えば、砂目立て、陽極酸化、シリケート処理、その他化成処理等の表面処理を単独又は適宜組み合わせて行い、次いで、感光液を塗布して感光層を形成した後、所望のサイズに切断することで製造される。
【０００３】
この切断工程に移行する前に、感光層の欠陥部（筋、傷、塗布ムラ、ゴミ付着等）が光学式の欠陥検出装置で検出され、欠陥部を識別するために平版印刷版のエッジ付近に識別用のラベルが貼り付けられる（例えば、特許文献１）。そして、切断時にラベルを識別して不良品として排除するようになっている。
【０００４】
このように、平版印刷版の半製品を一旦ロール状に巻き取った半製品から、巻き戻して裁断及び切断し、集積し、包装する製造ラインでは、特に、製造ラインが高速（例えば、ライン速度１２０〜２５０ｍ／分）であり、高い位置精度（例えば、±１５ｍｍ）が要求される場合、半製品状態や集積状態での外観判別が容易であり、センサにおける検出安定性に優れたラベルマーキング方式が採用されている。
【０００５】
また、ラベルには平版材料に貼り付けるための糊が形成されている。ここで、貼り付けるラベル面全体に糊を形成すると、平版材料を巻き取った時の巻き取り圧により、糊がラベル面から外へはみ出し、隣接する平版材料同士が接着する等の二次故障を発生させる恐れがあった。このため、貼り付ける面のうち、外周の縁に糊が形成されていないラベルが使用されている。
【０００６】
従来は、このようなラベルが貼られた平版材料のロールから、平版材料を巻き戻しながら所定の長さに切断するとき、ラベル貼付位置に関係なく切断している。
【特許文献１】特開２００３−１６６９４０号公報
【発明の開示】
【発明が解決しようとする課題】
【０００７】
しかしながら、特に、糊が形成されていないラベル面の外周の縁部分で切断又は裁断した場合、糊が形成されていないラベル片が切り出される。例えば、図６及び図７は、従来のウエブ切断及び裁断方法を説明する図である。
【０００８】
図６において、符号４８はラベルであり、符号４９は糊形成部であり、矢印ａはウエブ１２の搬送方向を示している。図６に示されるように、ウエブ１２をカット線Ｃ２で切断すると、図７（Ａ）に示されるように、糊が形成されていないラベルのカット片４８ａが発生する。また、ウエブ１２をスリット線Ｃ３で裁断すると、図７（Ｂ）に示されるように、糊が形成されていないラベルのスリット片４８ｂが発生する。
【０００９】
上記のように、切り出されたラベルのカット片やスリット片（以下、これらを総称して「ラベル片」という）は、飛散して製品に混入するという問題があった。このようなラベル片の混入は、製版所又は印刷所等において、現像露光を阻害する要因となる。
【００１０】
また、原反を所定巾に裁断する際、ラベル自体を裁断しないようにラベル貼付位置以外で裁断すると、製品の収率が著しく低下することが問題であった。
【００１１】
本発明はこのような事情に鑑みてなされたもので、欠陥部分に施された識別用のラベルを検出して、欠陥部分を含む製品を排除する製品の加工ラインにおいて、ラベル片が製品へ混入するのを防止でき、原反を所定巾に裁断する際には製品の収率の低下を抑制できるウエブの加工方法及び装置の提供を目的とする。
【課題を解決するための手段】
【００１２】
本発明の請求項１は前記目的を達成するために、帯状のウエブの欠陥部分を識別するラベルを、前記ウエブ巾方向のエッジに貼り付けた後、一旦コイル状に巻き取ったウエブロールから前記ウエブを送り出しながら前記ウエブを切断刃で所定長さに切断する切断工程を備えたウエブの加工方法において、前記切断工程では、前記ウエブを前記ラベルを回避した位置で切断するラベル切断回避ステップを行うことを特徴とするウエブの加工方法を提供する。
【００１３】
請求項１によれば、ラベル自体を切断しないように制御することができる。従って、欠陥部分に施された識別用のラベルを検出して、欠陥部分を含む不良品を排除する製品の加工ラインにおいて、ラベル片が製品へ混入するのを防止することができる。
【００１４】
請求項２は請求項１において、前記ラベル切断回避ステップは、前記ウエブを送り出す送り長を測定する測定ステップと、前記ウエブに貼られたラベルを検出するラベル検出ステップと、前記ウエブを所定長さに切断するように予め設定する予定カット長入力ステップと、前記測定ステップ及び前記ラベル検出ステップからの検出信号に基づいて、前記切断刃から前記ラベル位置までの距離を取得するラベル位置取得ステップと、前記測定ステップからの検出信号及び前記予定カット長入力ステップからの入力信号に基づいて、前記切断刃から予定切断位置までの距離を取得する予定切断位置取得ステップと、前記ラベル位置取得ステップで取得したラベル位置と前記予定切断位置取得ステップで取得した予定切断位置を照合する照合ステップと、前記照合ステップで照合された結果に基づいて、前記ラベル位置が前記予定切断位置を基準として設定範囲内にあるかどうかを判断する判断ステップと、前記設定範囲内にある場合には、前記予定切断位置をシフトするシフトステップと、を備えたことを特徴とする。
【００１５】
請求項２によれば、測定ステップ及びラベル検出ステップで取得した検出結果と、予定カット長入力ステップで取得した予定カット長入力結果に基づいて、トラッキング装置内の仮想パス上でラベル位置と予定切断位置と照合することにより、ラベル位置を回避して切断することができる。ここで、ウエブを送り出す送り長とは、ウエブが切断刃に向けて送り出される単位時間あたりのウエブの移動量をいう。
【００１６】
請求項３は請求項２において、前記ラベル切断回避ステップでは、前記測定ステップ及び前記ラベル検出ステップの検出信号と、前記予定カット長入力ステップからの入力信号に基づいて、前記検出したラベルが貼られた位置の仮想のシート番号を割り当てると共に、前記ウエブを切断後、前記仮想のシート番号に基づいて、前記ラベルが貼られたシートのみを回収する回収ステップを行うことを特徴とする。
【００１７】
請求項３によれば、欠陥部分を有するシートのみを効率的に排除できる。ここで、シートとは、切断された後のウエブをいう（以下においても同様とする）。
【００１８】
請求項４は請求項２又は３において、前記ラベルが、その外周の縁部に糊が形成されていない非糊形成部を有すると共に、前記ウエブを所定のウエブ巾にスリットする裁断工程を備え、前記裁断工程では、前記ラベルに形成された糊形成部のうちウエブ巾方向端部から一定以上の糊形成巾を確保した位置で前記ウエブを裁断することを特徴とする。
【００１９】
請求項４によれば、糊が形成されていないラベル片を発生させることなく、ウエブを所望のスリット巾に裁断し、更に所定長さに切断することができる。従って、原反を所望のスリット巾に裁断する際の製品の収率を向上できるとともに、ラベル片が製品へ混入するのを防止できる。
【００２０】
請求項５は請求項４において、前記ラベルに形成された糊形成部のうちウエブ巾方向端部から２ｍｍ以上の糊形成巾を確保した位置で前記ウエブを裁断することを特徴とする。
【００２１】
請求項５によれば、ウエブを裁断する際に、糊が形成されていないラベル片が発生するのを抑制することができる。
【００２２】
請求項６は、前記ウエブが平版印刷版であると共に、請求項１〜５の何れか１のウエブの加工方法を平版印刷版の加工方法に適用したことを特徴とする。
【００２３】
請求項６によれば、所定サイズの平版印刷版に効率的に切断できると共に、ラベル片が製品へ混入するのを防止できる。
【００２４】
本発明の請求項７は前記目的を達成するために、帯状のウエブの欠陥部分を識別するラベルを、前記ウエブ巾方向のエッジに貼り付けた後、一旦コイル状に巻き取ったウエブロールから前記ウエブを送り出しながら前記ウエブを切断刃で所定長さに切断する切断装置を備えたウエブの加工装置において、前記ウエブを送り出す送り長を測定する測定手段と、前記ウエブに貼られたラベルを検出するラベル検出手段と、前記ウエブを所定長さに切断するように予め設定する予定カット長入力手段と、前記測定手段及び前記ラベル検出手段からの検出信号に基づいて、前記切断刃から前記ラベル位置までの距離を取得すると共に、前記測定手段からの検出信号及び前記予定カット長入力手段からの入力信号に基づいて、前記切断刃から予定切断位置までの距離を取得し、前記切断刃からラベル位置までの距離と前記切断刃から予定切断位置までの距離を照合して、前記ラベル位置が前記予定切断位置を基準として前記設定範囲内にある場合には、前記予定切断位置をシフトするプログラムを備えたトラッキング手段と、を備えたことを特徴とするウエブの加工装置を提供する。
【００２５】
請求項７は、本発明を装置として構成したものである。ここで、ウエブを送り出す送り長とは、ウエブが切断刃に向けて送り出される単位時間あたりのウエブの移動量をいう。
【００２６】
また、測定手段としては、例えば、エンコーダ等が好ましく使用できる。ラベル検出手段としては、例えば、赤外線センサ等の光学式のセンサが好ましく使用できる。
【００２７】
請求項８は請求項７において、前記トラッキング手段は、前記測定手段及び前記ラベル検出手段からの検出信号と、前記予定カット長入力手段からの入力信号に基づいて、前記検出したラベルが貼られた位置の仮想のシート番号を割り当てると共に、前記ウエブを切断後、前記仮想のシート番号に基づいて、前記ラベルが貼られたシートを不良品回収部に回収する回収ゲートを制御することを特徴とする。
【００２８】
請求項８によれば、欠陥部分を有するシートを効率的に排除できる。
【００２９】
請求項９は請求項７又は８において、前記切断刃の前段に、前記ウエブを所定のスリット巾に裁断する裁断装置を備えたことを特徴とする。
【００３０】
請求項９によれば、切断する前のウエブを所定のスリット巾に裁断できる。
【００３１】
請求項１０は、前記ウエブが平版印刷版であると共に、請求項７〜９の何れか１のウエブの加工装置を平版印刷版の加工装置に適用したことを特徴とする。
【００３２】
請求項１０によれば、所望のサイズの平版印刷版に効率的に切断できると共に、ラベル片が製品へ混入するのを防止できる。
【発明の効果】
【００３３】
本発明によれば、欠陥部分に施された識別用のラベルを検出して、欠陥部分を含む製品を排除する製品の加工ラインにおいて、ラベル片が製品へ混入するのを防止でき、原反を所定巾に裁断する際には製品の収率の低下を抑制できる。
【発明を実施するための最良の形態】
【００３４】
以下添付図面に従って本発明に係るウエブの加工方法及び装置の好ましい実施の形態について説明する。尚、ウエブが平版印刷版である例について説明するが、これに限定されるものではない。
【００３５】
本実施形態では、本発明に係るウエブの加工方法を適用して、裁断工程においてウエブ１２を所定のスリット巾に裁断した後、切断工程においてウエブを所定長さに切断し、切断後のウエブから不良品を排除する工程を備えた平版印刷版の加工ライン１０について説明する。以下、帯状体の平版印刷版を、「ウエブ」という。
【００３６】
図１は、本実施形態における平版印刷版の加工ラインの一例を説明する説明図である。
【００３７】
図１に示されるように、平版印刷版の加工ライン１０の上流側には、ウエブ１２がロール状に巻き取られたウエブロール１３が着脱可能に装填されたウエブ送出機１４が配設されている。このウエブ送出機１４は、ウエブロール１３から平版印刷版素材であるウエブ１２を連続的に下流側へ送り出す。このウエブ１２には、欠陥部分を識別するためのラベル（不図示）が予め貼られている。尚、ウエブ送出機１４から送り出された後のウエブ１２に形成されたカール（曲げ癖）は、図示しないレベラにより矯正される。そして、ウエブ１２は、複数の搬送ローラ１５…を介して、下流側に送られる。
【００３８】
また、平版印刷版の加工ライン１０には、ウエブ１２を所定のスリット巾に裁断する裁断装置１７と、ウエブ１２の送り長をカウントする測長装置１６と、上記ラベルを検出するラベル検出装置１８と、ウエブ１２を所定長さに切断する切断刃２０と、が備えられている。そして、制御手段としてのトラッキング装置３４により、測長装置１６とラベル検出装置１８での検出結果と、予め別装置に設定されたカット長データの入力結果に基づいて、切断刃２０によるウエブ１２の切断が制御される。これにより、予め設定されたサイズの平版印刷版２２が製造される。
【００３９】
切断刃２０により切断された平版印刷版２２は、複数台のコンベア２４からなる搬送路２６により搬送される。この搬送過程で、ラベルが貼られた不良品の平版印刷版２２が不良品回収缶２８に回収される。即ち、搬送路２６の途中には、回収ゲート２７が設けられており、この回収ゲート２７がトラッキング装置３４により開閉制御されることで、不良品の平版印刷版２２が不良品回収缶２８に回収される。
【００４０】
尚、不良品の平版印刷版２２が排除された平版印刷版２２は、搬送路２６により、後工程である集積工程３０と、包装工程３２と、に搬送される。
【００４１】
集積工程３０では、平版印刷版２２が所定枚数積み重ねられて、集積束が構成される。この集積束は、図示しない複数台のコンベアにより所定の積替位置へ搬送された後、図示しないパレット上へ積替えられる。また、包装工程３２では、上記集積束が積載されたパレットが自動搬送装置により送られると、クラフト紙等の外装紙により包装した後、更に必要に応じて段ボール箱等の収納箱内へ収納し、又は出荷用のパレット上に積載する。これにより、平版印刷版２２は、ユーザへ出荷可能な形態とされる。
【００４２】
まず、切断工程においてトラッキング装置３４によるウエブ１２の切断及び不良品の回収を行うための構成について詳細に説明する。
【００４３】
トラッキング装置３４には、主に、上述した測長装置１６と、ラベル検出装置１８とが接続されている。また、トラッキング装置３４には、切断刃２０と、回収ゲート２７が接続されている。また、トラッキング装置３４には、所定長さに予め設定された予定カット長データを入力する予定カット長入力装置４２が接続されている。
【００４４】
測長装置１６は、主に、測長ロール３８と、パルス信号発生手段としてのエンコーダ４０とより構成されている。測長ロール３８は、ウエブ１２に当接して設けられており、ウエブ１２の移動に伴って回転するようになっている。測長ロール３８には、エンコーダ４０が設けられており、該エンコーダ４０によってウエブ１２の送り長が計測される。エンコーダ４０は、測長ロール３８の回転によって所定のパルスを発生する。
【００４５】
ラベル検出装置１８は、ウエブ１２のエッジに貼られたラベルを検出するセンサである。ラベル検出装置１８の具体的な例としては、赤外線式センサ等を好ましく使用できるが、ラベルを検出することができるものであれば、他の手段でもよい。
【００４６】
予定カット長入力装置４２は、予め別の装置に設定しておいた予定カット長データをトラッキング装置３４へ入力できるようになっている。
【００４７】
切断刃２０は、トラッキング装置３４の制御信号に基づいて、走行するウエブ１２を切断できるようになっている。
【００４８】
回収ゲート２７は、搬送路２６の一部材として構成されると共に、不良品回収缶２８の開口部付近に設けられている。この回収ゲート２７は、トラッキング装置３４の制御信号に基づいて、開閉するようになっている。例えば、回収ゲート２７が閉まった状態では、搬送路２６を構成するが、回収ゲート２７が開いた状態では、コンベア２４の下方に設けられた不良品回収缶２８に不良品の平版印刷版２２を回収するための開口部を形成するようになっている。
【００４９】
尚、本実施形態において、ウエブ１２のエッジに貼られているラベルは、ウエブ１２を搬送する際の、ばたつきによる検出不良や集積ガイドの引っ掛かり等を防止するため、コシがあり屈曲性を有するＰＥＴ（ポリエチレンテレフタレート）ベースのものが好ましく使用できる。また、ラベルの検出安定性を向上させる為に、表面にアルミ蒸着を施したものがより好ましく使用できる。
【００５０】
トラッキング装置３４は、シフトレジスタを備えている。ウエブ１２の送り長を測定してパルス信号を発生するエンコーダ４０等の測長装置１６を用いて、ラベル検出装置１８による検出結果をシフトレジスタに記憶し、エンコーダ４０より得られる、例えば１ｍｍ単位で発生されるパルスで、シフトレジスタの全データのシフトを順次行って、順次、切断刃２０に出力することでトラッキングする。
【００５１】
ここで、トラッキング装置３４内のリングカウンタにおける仮想パス４４について、図２を参照して説明する。
【００５２】
図２に示されるように、ウエブ送出機１４と切断刃２０との間において、ラベル検出装置１８がラベルを検出すると、検出信号がトラッキング装置３４に送られ、リングカウンタ上の仮想パス４４にラベル検出フラグ４６を立てる。また、エンコーダ４０から測定される測定信号に基づいて、ラベル検出フラグ４６を、仮想パス４４上でシフトさせる。これにより、切断刃２０からラベル位置までの距離（以下、「ラベル位置Ｘａ」という）を順次取得する（同図では、ラベル検出装置１８で検出して所定時間が経過した後のラベル位置を示している）。また、トラッキング装置３４は、予め設定されたカット長データに基づいて、切断刃２０からの予定切断位置までの距離（以下、「予定切断位置Ｘｂ」という）を取得する。
【００５３】
このように、トラッキング装置３４は、ラベル位置Ｘａと予定切断位置Ｘｂを照合させることにより、ラベル貼付位置を回避してウエブ１２を切断するように制御する。
【００５４】
更に、トラッキング装置３４は、ラベル位置Ｘａと予定切断位置Ｘｂを照合させることにより、切断する前のウエブ１２に順次、仮想シート番号を割り当てる。例えば、ラベルが貼られたウエブ位置には、ＮＧ−１、ＮＧ−２…というような番号を割り当て、それ以外のウエブ位置には、ＯＫ−１、ＯＫ−２、…というような番号を割り当てる。
【００５５】
これにより、トラッキング装置３４は、上記の割り当てた番号に基づいて、回収ゲート２７を制御する。例えば、トラッキング装置３４が、ＮＧ−１を読み込んだ場合、回収ゲート２７を開くように制御する。一方、ＯＫ−１を読み込んだ場合、回収ゲート２７を閉めるように制御する。
【００５６】
次に、本発明に係るウエブの切断方法の作用について図３を参照して説明する。
【００５７】
図３は、本実施形態におけるウエブの切断方法を示した説明図である。このうち、図３（Ａ）は、ウエブ１２を横からみた側面図であり、図３（Ｂ）は、ウエブ１２を上からみた上面図であり、図３（Ｃ）は、図３（Ｂ）のラベル貼付位置付近を拡大した拡大図である。以下、ウエブ１２の搬送方向をプラス方向、搬送方向とは逆方向をマイナス方向とする。
【００５８】
図３に示されるように、複数のラベル４８、４８…が間隔を設けて貼られたウエブ１２が切断刃２０を通過するまでの間に、トラッキング装置３４により予定切断位置Ｘｂを中心として所定の設定範囲内（同図では、予定切断位置Ｘｂから±Ｌ１の範囲）に、仮想パス４４上のラベル位置Ｘａがないかを判断する。
【００５９】
図３（Ｃ）に示されるように、仮想パス４４上において、所定の設定範囲にラベル位置Ｘａがある場合、マイナス方向に所定の回避距離Ｌ２だけシフトさせる。そして、シフト後の予定切断位置Ｘｂ’において、再度、所定の設定範囲内（同図では、予定切断位置Ｘｂから±Ｌ１の範囲）に、ラベル位置Ｘａがないかを判断する。そして、同図では、未だ所定の設定範囲にラベル位置Ｘａがあるので、再度、マイナス方向に所定の回避距離Ｌ２だけシフトさせる。更に、予定切断位置Ｘｂ’’で、所定の設定範囲内に、ラベル位置Ｘａがないかを判断する。ここで、ラベル位置Ｘａがなければ、予定切断位置Ｘｂ’’で切断を実行する。
【００６０】
尚、図３においては、ラベル位置Ｘａは、ラベルの中心位置で検出するようにしたが、これに限定されることはなく、ラベルのある一定位置で検出するように設定すればよい。
【００６１】
予定切断位置Ｘｂを中心とした設定距離Ｌ１としては、各加工設備の位置認識精度とラベルのウエブ搬送方向長さの半分との和を超える長さに設定される。また、予定切断位置Ｘｂの回避距離Ｌ２は、一回だけ回避する方式であれば上記設定距離Ｌ１の約２倍（設定距離Ｌ１＋各加工設備の位置認識精度＋ラベルのウエブ搬送方向長さの半分）を超える長さに設定され、複数回回避する方式であれば上記一回だけ回避する方式における回避距離Ｌ２の１／３〜１／２程度に設定されることが好ましい。
【００６２】
このときのトラッキング装置３４の処理について、図４を参照して説明する。
【００６３】
図４は、トラッキング装置３４の処理の流れを説明するフローチャート図である。図４に示されるように、先ず、ステップＳ１では、トラッキング装置３４は、エンコーダ４０によって計測されたウエブ１２の測長測定結果を読み込む。
【００６４】
次いで、ステップＳ２では、ラベル検出装置１８によって検出されたラベル検出結果を読み込む。これらの測長測定結果及びラベル検出結果より、切断刃２０からのラベル位置Ｘａを取得する。
【００６５】
次いで、ステップＳ３では、予め設定しておいた予定カット長データを読み込む。これにより、切断刃２０からの予定切断位置Ｘｂを取得する。尚、予定カット長データは、平版印刷版のロットや品種等により設定される。
【００６６】
次いで、ステップＳ４では、ラベル位置Ｘａと、予定切断位置Ｘｂとを照合する。また、ステップＳ５では、同時に仮想シート番号を割り当てる。ここでは、ラベルが貼られているウエブ位置には、ＮＧ−１、ＮＧ−２、…というような番号を割り当てる。一方、ラベルが貼られていないウエブ位置には、ＯＫ−１、ＯＫ−２、…というような番号を割り当てる。
【００６７】
次いで、ステップＳ６では、ラベル位置Ｘａが予定切断位置Ｘｂを基準として設定範囲内（±Ｌ１の範囲）にあるかどうかを判断する。ここで、ラベルのウエブ搬送方向長さの中央部で検出される場合、設定範囲Ｌ１としては、ラベルのウエブ搬送方向長さの約１／２に設定することができる。
【００６８】
ラベル位置Ｘａが上記設定範囲内にある場合、ステップＳ７では、予定切断位置Ｘｂを設定した回避距離Ｌ２だけ上流側にシフトさせる。また、ラベル位置Ｘａが上記設定範囲内にない場合、ステップＳ９において、切断を実行する。
【００６９】
次いで、ステップＳ８では、シフト後の予定切断位置Ｘｂ’を基準として、再度ラベル位置Ｘａが±Ｌ１の範囲内にあるかどうかを判断する。
【００７０】
ラベル位置Ｘａが上記設定範囲内にない場合、ステップＳ９において、切断を実行する。一方、ラベル位置Ｘａが上記設定範囲内にある場合、ステップＳ７に戻って、再度、予定切断位置切断位置Ｘｂ’をシフトさせる。
【００７１】
以上のようなステップを繰り返すことにより、ラベル貼付位置を回避してウエブ１２を切断することができる。また、回避距離Ｌ２を小さく設定することにより、不測の位置にラベルがある場合にも、ラベルをより確実に回避することができる。
【００７２】
更に、ステップＳ９において切断を実行した後、ステップＳ１０では、上記のステップＳ５において割り当てた仮想シート番号に基づいて、ラベルが貼られた仮想シート番号かどうかを判断する。ラベルが貼られた仮想シート番号であれば、ステップＳ１１において、回収ゲート２７を開く。ラベルが貼られた仮想シート番号でなければ、ステップＳ１２において、回収ゲート２７を閉じる。
【００７３】
これにより、ラベルが貼られた平版印刷版２２のみを不良品回収缶２８に回収することができ、不良品やカット片を製品に混入させることなく集積工程へ搬送することができる。
【００７４】
次に、裁断工程について説明する。
【００７５】
図５は、裁断装置１７におけるウエブの裁断方法について説明する説明図である。
【００７６】
図５に示されるように、スリット線Ｃ１は、ラベル４８の糊形成部４９の端部Ｒから所定の糊形成巾Ｌ３を確保した位置に設定することが好ましい。
【００７７】
具体的には、糊形成部４９の端部Ｒから糊形成巾Ｌ３が２ｍｍ以上確保できる位置で裁断することが好ましく、糊形成巾Ｌ３が３ｍｍ〜７ｍｍとなる位置で裁断することがより好ましい。これにより、糊が形成されていないラベルスリット片を発生させることなく、ウエブ１２を製品サイズに応じたスリット巾に裁断することができる。
【００７８】
その後、既述した切断工程に搬送することにより、製品サイズに応じて平版印刷版２２に加工することができる。
【００７９】
尚、本実施形態では、ラベル４８上でスリットする例について説明したが、これに限定されるものではなく、ラベル４８からウエブ巾方向に最小距離だけ回避した位置でスリットすることもできる。この場合、最小距離としては、製品の収率を最小限に抑えられるように設定することが好ましく、ラベルのウエブ巾方向位置のすぐ内巾側に設定することがより好ましい。
【００８０】
以上、本発明を適用することにより、欠陥部分に施された識別用のラベルを検出して、欠陥部分を含む製品を排除する製品の加工ラインにおいて、ラベル片が製品へ混入するのを防止でき、原反を所定巾に裁断する際には製品の収率の低下を抑制できる。
【００８１】
以上、本発明に係るウエブの加工方法及び装置の実施形態について説明したが、本発明は上記実施形態に限定されるものではなく、各種の態様が採り得る。
【００８２】
例えば、本実施形態において、ウエブの裁断工程と切断工程とを組み合わせた例について説明したが、ウエブの裁断工程と切断工程を別ラインで構成してもよい。
【００８３】
本発明は、平版印刷版の製造工程に適用できるだけでなく、その他の幅広い技術分野における帯状のウエブを搬送しながら切断及び裁断する工程にも適用できる。
【図面の簡単な説明】
【００８４】
【図１】本発明に係る平版印刷版の加工ラインの一例を説明する説明図である。
【図２】図１のトラッキング装置内のリングカウンタにおける仮想パスを説明する説明図である。
【図３】本実施形態におけるウエブの切断方法を説明する説明図である。
【図４】本実施形態におけるトラッキング装置の処理の流れを説明するフローチャート図である。
【図５】本実施形態におけるウエブの裁断方法を説明する説明図である。
【図６】従来のウエブの切断及び裁断方法を説明する説明図である。
【図７】図６のラベル片を説明する説明図である。
【符号の説明】
【００８５】
１０…平版印刷版の加工ライン、１２…ウエブ、１６…測長装置、１７…裁断装置、１８…ラベル検出装置、２０…切断刃、２２…平版印刷版、２７…回収ゲート、２８…不良品回収缶、３４…トラッキング装置、３８…測長ローラ、４０…エンコーダ、４２…予定カット長入力装置、４６…ラベル検出フラグ、４８…ラベル、４９…糊形成部、４９ａ…カット片、４９ｂ…スリット片
【図１】
2008055521.tif 000003
【図２】
2008055521.tif 000004
【図３】
2008055521.tif 000005
【図４】
2008055521.tif 000006
【図５】
2008055521.tif 000007
【図６】
2008055521.tif 000008
【図７】
2008055521.tif 000009